(57)【特許請求の範囲】
【請求項１】
前面が開口する外箱と、該外箱の前面に開閉自在に設けられた扉と、前面を通して前記外箱に出し入れされ、前記外箱の外部下方において昇降可能な収納庫と、該収納庫を前記外箱に対して出入れ及び昇降可能に支持するリンク機構とを備え、前記扉が閉鎖状態にある時、前記収納庫が前記外箱から脱出するのを規制するロック装置を設け、前記ロック装置は、前記外箱の内面に軸支されると共に、前記扉が閉じるときに従動して、前記収納庫の脱出を規制する位置へ移動する係止部材より成ることを特徴とするキャビネット。
【請求項２】
前記ロック装置は、前記扉が開放状態にある時、前記収納庫の脱出規制を解除するものである請求項１に記載のキャビネット。
【請求項３】
前記係止部材を前記収納庫の脱出規制解除方向へ付勢する付勢手段を設け、前記係止部材が前記収納庫の脱出規制解除位置へ移動した時、該係止部材と係合してそれ以上の移動を規制するストッパを設けた請求項１又は２に記載のキャビネット。
【請求項４】
前記係止部材を前方に突に屈曲する略く字状とし、前記係止部材をその屈曲部に於いて前記外箱に軸支し、前記係止部材の上端を前記扉との接触部とし、前記係止部材の下端部を前記収納庫又はリンク機構と係止して前記収納庫の脱出を規制する係止部とした請求項１〜３のいずれかに記載のキャビネット。
【請求項５】
前記係止部材の前記扉に対する接触部にローラを装着した請求項４に記載のキャビネット。
【請求項６】
前記外箱の底面を開放し、前記収納庫に、前記外箱へ収納された時その底面から下方へ露出する把持部を設けた請求項１乃至５のいずれかに記載のキャビネット。
【請求項７】
前記収納庫に、前記外箱へ収納された時その前面から外部へ露出する把持部を設けた請求項１乃至５のいずれかに記載のキャビネット。
【発明の詳細な説明】
【０００１】
【発明の属する技術分野】
本発明は、高所に設置されるキャビネットに関する。
【０００２】
【従来の技術】
本出願人は、先に、邪魔にならない高い位置に物品を収納可能で、これを簡単に出し入れすることができるように、前面が開口する外箱と、前面を通して外箱に出し入れされる昇降可能な収納庫とから成るキャビネットを特願２０００−２００６１６号として提案した。
ところで、収納庫の前面が開放された状態では、収納された物品が露出して体裁が悪く、ほこりをかぶって汚れる虞もあり、また、これらの物品が落下する心配もある。
そこで、外箱の前面に扉を設けることが考えられるが、扉を閉じた状態で外箱から収納庫を降ろそうとすると、高い位置にある扉が勢い良く開いて、操作する人の頭部にぶつかる危険がある。
【０００３】
【発明が解決しようとする課題】
この発明は、高い位置に収納された物品を簡単に出し入れでき、収納された物品を扉で保護し、外箱からの収納庫の脱出によって扉が開かないため安全性が高いキャビネットを提供することを課題とする。
【０００４】
【課題を解決するための手段】
本発明のキャビネットは、前面が開口する外箱と、該外箱の前面に開閉自在に設けられた扉と、前面を通して外箱に出し入れされ、外箱の外部下方において昇降可能な収納庫と、該収納庫を前記外箱に対して出入れ及び昇降可能に支持するリンク機構とを備え、前記扉が閉鎖状態にある時、前記収納庫が外箱から脱出するのを規制するロック装置を設ける。前記ロック装置は、前記外箱の内面に軸支されると共に、前記扉が閉じるときに従動して、前記収納庫の脱出を規制する位置へ移動する係止部材より成る。
扉を閉じた状態では、収納庫を操作してもロック装置が作動して外箱から取り出すことができないため、収納庫の脱出によって突然扉が開くことはない。
【０００５】
ロック装置は、扉が開放状態にある時、収納庫の脱出規制を解除するものであっても良い。この構成により、扉を開放してから収納庫を取り出す都度、収納庫の脱出規制を解除する手間を省くことができる。
また、係止部材を収納庫の脱出規制解除方向へ付勢する付勢手段を設け、係止部材が収納庫の脱出規制解除位置へ移動した時、該係止部材と係合してそれ以上の移動を規制するストッパを設けることもできる。
扉を開けると、付勢手段の付勢力により自動的に収納庫の脱出規制が解除され、ストッパによって、係止部材が扉に対する従動不能位置まで移動するのを防ぐことができる。
【０００６】
係止部材を前方に突に屈曲する略く字状とし、係止部材をその屈曲部に於いて外箱に軸支し、係止部材の上端を前記扉との接触部とし、係止部材の下端部を前記収納庫又はリンク機構と係止して前記収納庫の脱出を規制する係止部としても良い。
係止部の動作方向がほぼ上下方向になって、外箱近傍においてその奥行き方向に動く収納庫の動作方向に対して直角に近づくため、収納庫を引き出そうとしても係止部が移動することがなく、確実に収納庫の脱出を規制する。
【０００７】
係止部材の扉に対する接触部にローラを装着することも可能である。この構成により、扉の係止部材との接触面が傷つくのを防ぎ、扉閉鎖時に係止部材と擦れ合って騒音が発生するのを抑え、係止部材の動作をスムーズにする。
外箱の底面を開放し、前記収納庫に、前記外箱へ収納された時、その底面から下方へ露出する把持部を設けても良い。これにより、把持部の位置が下がって手が届きやすく、使い勝手が良くなる。また、収納庫を出し入れする際に外箱の底面を回避するため、収納庫底面と外箱底面との間に距離をあける必要が無くなって、外箱下部に生ずるデッドスペースをなくすことができる。
使い勝手が向上するよう、収納庫に、前記外箱へ収納された時、その前面から外部へ露出する把持部を設けても良い。
【０００８】
【発明の実施の形態】
以下、本発明の実施形態を図面に基づいて詳細に説明する。
図１及び図２は本発明の第１の実施形態を示し、キャビネット１は、流し台の上方等の高い位置に設置され、前面が開口する外箱２と、開口した前面を通して外箱２に出し入れされると共に、外箱２の外部下方において昇降可能な収納庫３と、外箱２の前面に開閉自在に設けられた扉４と、収納庫３を外箱２に対して出入れ及び昇降可能に支持するリンク機構８とを備える。
【０００９】
外箱２は、壁面上部等の高所に設置され、図１に示すように、その底面は底板が取り付けられずに開放されている。
図２に示すように、外箱２の前面両側端には観音開きの扉４の側端縁がそれぞれ軸着される。軸着部と逆側の端縁寄りにおいて、扉４の外面には開閉操作するための取っ手１５が装着されている。
外箱２の一方の側板内面において、その前部上方には、扉４を閉鎖してあるときに収納庫３が外箱２から脱出するのを規制するロック装置となる係止部材５が回動自在に軸着されている。
【００１０】
図１に示すように、係止部材５は、金属製の帯板より成り、一端部の一側縁は斜めに切断されて傾斜縁６となっており、他端は緩やかな円弧状に湾曲している。また、係止部材５は、中間部よりもやや他端寄りにおいて、ピン７を介して外箱２の側板内面に軸着されている。
さらに、ピン７の前方において係止部材５の一端部の軌道上、又は、ピン７の後方において係止部材５の一端部の軌道上には、係止部材５の回動を規制するストッパ１４が外箱２の側板内面に装着されている。
そして、係止部材５は重い一端側が下になるよう回転しようとするが、ストッパ１４に当たって、その傾斜縁６を扉４の内面に対向させ、一端に向かって前上方に傾斜した状態を維持するようになっている。
【００１１】
収納庫３は、外箱２へ収納された時、その底面どうしが面一になるか、或いは、収納庫３の底面が僅かに上に位置し、収納庫３の上方において外箱２の上部にやや空間が形成される大きさとなっている。
収納庫３の両側面上部には、それぞれ支持板１９が上方に突出するように取り付けられる。
また、収納庫３の両側の下端前部には、それぞれ下方に突出する突出片１１が形成され、左右の突出片１１の間に把持部１２が架設されている。そして、収納庫３を外箱２へ収納すると、この把持部１２が外箱２の底面から下方へ露出するようになっている。
【００１２】
収納庫３の両側上部と外箱２の両側下部とは、それぞれリンク機構８によって連結される。
リンク機構８は、第１の杆９と、その後方に配置される第２の杆１０とから成り、外箱２の側板内面と収納庫３の外側面との間隙に配置される。
第１の杆９は、その一端が外箱２の内側面下部の奥行き方向中間部に軸着されると共に、他端が支持板１９の前中間部に軸着されている。
また、第１の杆９の収納庫３に対する軸着部の外面には、係止部材６の他端と係合可能なロック用ピン１３が突出されている。
【００１３】
第２の杆１０の一端は、第１の杆９の一端よりもやや後上方において、外箱２の内側面に軸着され、第２の杆１０の他端は、支持板１９の後上端部に軸着されている。
即ち、第２の杆１０の他端は、収納庫３の上面よりも上方で、収納庫３に軸着されている。
リンク機構８の収納庫３に対する軸着部は、外箱２へ収納庫３を出し入れする際に外箱２にぶつからずに通過するため、このように第２の杆１０の他端を収納庫３の上面より上方で軸着すると、その高さが、収納庫３に物品を収納する際の上限の目安となる。
【００１４】
第１の杆９及び第２の杆１０がほぼ直立しているときは、収納庫３が完全に外箱２内に収納される。
この状態で扉４を閉じると、一定角度まで扉４が閉鎖した時、その内面が係止部材５の傾斜縁６に当接し、その後、扉４の閉鎖運動に従動して係止部材５が図１の時計回りに回転する。
完全に扉４が閉じると、図１の実線で示すように、係止部材５が外箱２内に収納されて、その他端が第１の杆９の他端（収納庫３に対する軸着部）に設けられた第１のロック用ピン１３に係合し、リンク機構８の回転、即ち、収納庫３の外箱２からの脱出が規制される。
【００１５】
この時、収納庫３の把持部１２は、外箱２の底面から下方に露出している。
また、係止部材５は外箱２の側板内面に取り付けられているので、傾斜縁６は扉４の支点近くに当接することになり、このため、収納庫３を外へ引き出そうとしても、係止部材５を介して扉４に加わるモーメントは非常に小さいので、扉４が開くことはない。
【００１６】
扉４を開けると、係止部材６が外箱２の前面から脱出できるため、係止部材６は、図１の破線で示すように重い一端側が前へ倒れ、ピン７を中心に収納庫３の脱出規制解除方向（図１の反時計回り）へ回転する。この結果、第１の杆９に設けられたロック用ピン１３と係止部材６の他端との係合が外れ、リンク機構８が回動可能となって、収納庫３は外箱２から脱出できるようになる。
なお、倒れた係止部材５はストッパ１４に当たって、扉４を閉鎖する際に従動不能な位置まで移動することはない。
【００１７】
この状態で、収納庫３の把持部１２を握って外箱２の前方へ引き出すと、収納庫３が前進し、第１の杆９及び第２の杆１０が、それぞれ外箱２に対する軸着部を中心にして反時計回りに回動する。
収納庫３が外箱２から完全に脱出すると、収納庫３の重量によって第１の杆９及び第２の杆１０が反時計回りの回動を継続し、図１の破線で示すように、収納庫３が下降する。
【００１８】
図３乃至図７は、第２の実施形態を示す。
リンク機構８を構成する第２の杆１０の中間部外面にロック用ピン１３が取り付けられる。
図４に示すように、係止部材５は、前方に突に屈曲した略く字状に形成され、その屈曲部に於いて外箱２の側板内面にピン７を介して軸着されている。
また、扉４との接触部となる係止部材５の一端の側縁部にはローラ１６が装着され、係止部材５の他端部は略コ字状に屈曲されて、ロック用ピン１３に係合可能な係止部１７となっている。
【００１９】
図３に示すように、外箱２の側板内面において、係止部材５の係止部１７の軌道上には、第１の実施形態と同様のストッパ１４が配置され、係止部材５は、ストッパ１４により回転が規制されて、一端側が前上方に向くよう傾斜して、ローラ１６が扉４に対向すると共に、係止部１７の開口部が前下方を向いた状態を維持するようになっている。
さらに、係止部１７と外箱２の側板との間にはバネ１８が介在されて、係止部材５は、ローラ１６が前へ倒れて外箱２から脱出し、係止部１７が上方へ移動する方向（図の反時計回り）に付勢されている。
そして、係止部材５の係止部１７は、その可動範囲においては、ほぼ上下方向に移動することになる。
【００２０】
図３の実線及び図５で示すように、収納庫３を外箱２へ収納してから扉４を閉じると、扉４の内面がローラ１６に当たった時点から、係止部材５は扉４の閉鎖に従動し、バネ１８の付勢力に抗して時計回りに回転する。
扉４が完全に閉じると、係止部材５は外箱２内へ収納され、係止部１７が起立した第２の杆１０に設けられたロック用ピン１３に係合する。この時、外箱２の近傍におけるロック用ピン１３の動作方向が奥行き方向（矢印ａ）であるのに対して、係止部１７はほぼ上下方向（矢印ｂ）に移動するため、係止部１７の動作方向とロック用ピン１３の動作方向とは直角に近づき、確実に係止部１７がロック用ピン１３と係合してその移動を規制する（図４）。
【００２１】
係止部材５の係止部１７とロック用ピン１３とが係合すると、リンク機構８の回動、即ち、収納庫３の外箱２からの脱出が規制される。収納庫３を引き出そうとしても、係止部１７は前方に引き寄せられるので、係止部材５が収納庫３の脱出規制解除方向（図の反時計回り）へ回転することはなく、このため、係止部材５に押されて扉４が開くことはない。
図６に示すように、扉４を開けると、係止部材５はバネ１８の付勢力により反時計回りに回転して、ローラ１６が外箱２の前面から脱出すると共に、係止部１７とロック用ピン１３との係合が解ける。回転した係止部材５は、その係止部１７がストッパ１４に当たって停止する。
この状態で、収納庫３の把持部１２を握って外箱２の前方へ引き出すと、リンク機構８が反時計回りに回動して収納庫３が外箱２の前面から脱出する。その後、図３の破線及び図７に示すように、収納庫３の自重によって、リンク機構８はさらに反時計回りの回動を継続し、収納庫３が下降する。
その他の構成は、第１の実施形態とほぼ同様なので、詳細な説明を省略する。
【００２２】
図８は、本発明の第３の実施形態を示す。
扉４は、その下端の高さが外箱２の底面よりも高くなるよう、長さを短くしてあり、扉４を閉鎖した時に、扉４の下方には隙間２０が形成される。
また、収納庫３の下端部には、前方へ張り出す把持部１２が設けられ、収納庫３を外箱２へ収納すると、把持部１２が外箱２の前面から外部に露出するようになっている。
従って、扉４を開放した後、前方に張り出した把持部１２を掴んで、簡単に収納庫３を取り出すことができる。
その他の構成は、第２の実施形態とほぼ同様である。
【００２３】
なお、外箱２、収納庫３、リンク機構８の構造は適宜変更することができる。例えば、係止部材５を外箱２の側板ではなく、天板内面に軸着することもでき、ローラ１６に代えて、摩擦係数が小さくて扉４を傷つけ難い素材より成る摺動部材を貼り付けることも可能である。
また、ロック用ピン１３を、リンク機構８ではなく、収納庫３の外側面に装着することもできる。
さらに、外箱２の下部に設けた操作部を操作することにより、係止部材５を回動させて、係止部材５とロック用ピン１３との係合を解除できるようにすれば、係止部材５の支軸となるピン７を偏心させたり、係止部材５を付勢するバネ１８を設けて、扉４を開放したときに、自動的に収納庫３の脱出規制が解除されるようにする必要はない。
【００２４】
【発明の効果】
請求項１に係る発明によれば、物品を収納庫に収納して邪魔にならない高所に保管すると共に、簡単に出し入れでき、収納庫内に収納した物品を扉によって保護することが可能である。
また、扉を閉じた状態では収納庫を操作しても取り出すことができないので、収納庫の外箱からの脱出により扉が突然開いて操作者にぶつかる心配が無く、安全性が高い。
さらに、ロック装置は、外箱に軸支され、扉が閉じるときに従動して収納庫の脱出を規制する位置へ移動するので、ロック装置の構造が簡易化される。
【００２５】
請求項２に係る発明によれば、扉を開放して収納庫を外箱から脱出させる度に、収納庫の脱出規制を解除する手間が省ける。
請求項３に係る発明によれば、扉を開くと自動的に収納庫の脱出規制が解除されると共に、係止部材が扉に対して従動不能位置まで移動するのを防ぐため、作動の安定性・信頼性が増す。
請求項４に係る発明によれば、係止部材の係止部がほぼ上下方向に移動することになって、外箱近傍においてその奥行き方向移動する収納庫の動作方向と直角に近い角度で交差するため、係止部が確実に収納庫又はリンク機構と係合して、収納庫の脱出を規制する。
【００２６】
請求項５に係る発明によれば、扉閉鎖時に、扉内面と係止部材とが擦れて騒音が発生する心配が無く、繰り返し作動させても扉内面が傷つくことがない。また、扉の閉鎖に伴って係止部材がスムーズに移動する。
請求項６に係る発明によれば、把持部の位置が下がって外箱の下方に露出するので、手で握りやすく操作性がよい。また、収納庫を外箱へ出し入れする際に、外箱の底面を回避する必要がないので、収納庫を収納時に外箱の下端近くに達する大きさとすることができ、このため、外箱の下部に生ずるデッドスペースを無くすことが可能である。
請求項７に係る発明によれば、外箱の前面に露出する把持部を握って、簡単に収納庫の出し入れ及び昇降を操作することができる。
【図面の簡単な説明】
【図１】第１の実施形態を示すキャビネットの縦断面図
【図２】第１の実施形態を示すキャビネットの横断面図
【図３】第２の実施形態を示すキャビネットの縦断面図
【図４】第２の実施形態に係るリンク機構及び係止部材の側面図
【図５】第２の実施形態を示す扉閉鎖時のキャビネットの縦断面図
【図６】第２の実施形態を示す扉が開放され、収納庫が外箱内にある時のキャビネットの縦断面図
【図７】第２の実施形態を示す収納庫下降時のキャビネットの縦断面図
【図８】第３の実施形態を示すキャビネットの縦断面図
【符号の説明】
１  キャビネット
２  外箱
３  収納庫
４  扉
５  係止部材（ロック装置）
６  傾斜縁
７  ピン
８  リンク機構
９  第１の杆
１０  第２の杆
１１  突出片
１２  把持部
１３  ロック用ピン
１４  ストッパ
１５  取っ手
１６  ローラ
１７  係止部
１８  バネ
１９  支持板
２０  隙間
【図１】
0004248789.tif 000002
【図２】
0004248789.tif 000003
【図３】
0004248789.tif 000004
【図４】
0004248789.tif 000005
【図５】
0004248789.tif 000006
【図６】
0004248789.tif 000007
【図７】
0004248789.tif 000008
【図８】
0004248789.tif 000009